(57)【要約】【課題】電子機器を、紐状部材を用いて収納筐体内に耐振性良くフローティング支持する。【解決手段】振動を発生する駆動源を内部に有する電子機器（１２，１３）を、耐振するために収納筐体１４内でフローティング支持する電子機器の耐振構造１０において、紐状部材１１を、電子機器（１２，１３）の外周部位に沿って設けた複数の第１紐支持部１３ｍ〜１３ｐと、電子機器（１２，１３）よりも外側で収納筐体１４内に設けた複数の第２紐支持部１４ｍ〜１４ｏ，１４ｑ，１５とに支持しながら電子機器（１２，１３）の外周部位に沿って張り巡らせて、収納筐体１４内で紐状部材１１を介して電子機器（１２，１３）をフローティング支持することを特徴とする電子機器の耐振構造１０を提供する。【選択図】図２
2007323759.tif 000002
【特許請求の範囲】
【請求項１】
振動を発生する駆動源を内部に有する電子機器を、耐振するために収納筐体内でフローティング支持する電子機器の耐振構造において、
紐状部材を、前記電子機器の外周部位に沿って設けた複数の第１紐支持部と、前記電子機器よりも外側で前記収納筐体内に設けた複数の第２紐支持部とに支持しながら前記電子機器の外周部位に沿って張り巡らせて、前記収納筐体内で前記紐状部材を介して前記電子機器をフローティング支持することを特徴とする電子機器の耐振構造。
【請求項２】
前記複数の第２紐支持部のうちの一つは、前記紐状部材の一端部側及び他端部側をクランプしたまま該紐状部材の張力を調整する張力調整用支持部材であることを特徴とする請求項１記載の電子機器の耐振構造。
【請求項３】
前記紐状部材は、予め所定の張力が得られる伸縮自在な材質を用いて前記電子機器の外周部位に沿うようにエンドレスに形成したことを特徴とする請求項１記載の電子機器の耐振構造。
【発明の詳細な説明】
【技術分野】
【０００１】
本発明は、ハードディスクドライブや光ディスクドライブなどのように振動を発生する駆動源を内部に有する電子機器を、紐状部材を用いて収納筐体内に耐振性良くフローティング支持できる電子機器の耐振構造に関するものである。
【背景技術】
【０００２】
一般的に、情報を大容量に記録又は再生できるハードディスクや光ディスクを内蔵したハードディスクドライブや光ディスクドライブは、小型にユニット化されてビデオカメラやパソコンなどに取り付けられている。
【０００３】
これらのハードディスクドライブや光ディスクドライブは、内蔵されたハードディスクや光ディスクを回転駆動するためのスピンドルモータと、情報を記録又は再生するための磁気ヘッドや光ヘッドをディスク半径方向に移動させるヘッド駆動部とを内部に備えている。
【０００４】
この際、ハードディスクドライブや光ディスクドライブでは、内部に設けたスピンドルモータやヘッド駆動部などの駆動源から振動が発生するために、この振動がビデオカメラやパソコンなどに伝達されないように各種の耐振構造を採用している共に、外部からの衝撃に対しても耐振できるように各種の対策が施されている（例えば、特許文献１及び特許文献２参照）。
【特許文献１】特開平１０−３０２４５３号公報
【特許文献２】特開２００５−２６７８４２号公報
【０００５】
図７は従来例１の衝撃吸収材による振動・衝撃防護構造を示した斜視図、
図８（ａ），（ｂ）は従来例１の衝撃吸収材による振動・衝撃防護構造を一部変形させた変形例を示した正面図，側面図、
図９（ａ），（ｂ）は従来例２の記憶媒体を保持する装置を示した概略図，斜視図である。
【０００６】
まず、図７及び図８（ａ），（ｂ）に示した従来例１の衝撃吸収材による振動・衝撃防護構造は、上記した特許文献１（特開平１０−３０２４５３号公報）に開示されているものであり、ここでは特許文献１を参照して簡略に説明する。
【０００７】
図７に示した如く、従来例１の衝撃吸収材による振動・衝撃防護構造１００では、ユニット化されたハードディスクドライブ１０１の両端部１０１ａに、ハネナイトなどの衝撃吸収材により断面形状が楕円形である２個の筒体１０２を挿入して、ハードディスクドライブ１０１の４本の綾縁１０１ｂ１〜１０１ｂ４を各筒体１０２の長径部分の内面に接触させている。そして、ハードディスクドライブ１０１を挿入した２個の筒体１０２をビスや接着剤等の固定手段で取付台１０３上に固定することで、各筒体１０２はあらゆる方向の振動や衝撃を吸収し、ハードディスクドライブ１０１を振動や衝撃に対して防護する旨が開示されている。
【０００８】
この際、図８（ａ），（ｂ）に示した如く、上記した従来例１の衝撃吸収材による振動・衝撃防護構造１００を一部変形させた変形例の衝撃吸収材による振動・衝撃防護構造１００’では、ハードディスクドライブ１０１を挿入した２個の筒体１０２に２本のエンドレスの紐材１０４が互いに平行に鉛直面内で刺し通されていることで、ハードディスクドライブ１０１の両端部１０１ａが係止されている。尚、紐材１０４は、てぐすとかゴム紐等が用いられるが、ゴム紐を用いた場合にはハードディスクドライブ１０１の左右方向の振動を吸収する旨が記載されている。
【０００９】
次に、図９（ａ），（ｂ）に示した如く、従来例２の記憶媒体を保持する装置２００では、ハードディスク２０１が支持構造２０２内に配置されており、この支持構造２０２とハウジング２０３との間にワイヤケーブル振動ダンパーからなる例えば８個の振動減衰装置２０４が連結されている。更に、ハウジング２０３はレバーなどの取付手段２０５によってアダプタ２０６に取り付けられている。
【００１０】
この際、ハウジング２０３の上部にファン２０７が取り付けられており、このファン２０７によって外部から取り込んだ空気で支持構造２０２の周辺を冷却している。
【００１１】
そして、上記した各部材の配置構造によりハードディスク２０１が振動及び衝撃から保護される旨が開示されている。
【発明の開示】
【発明が解決しようとする課題】
【００１２】
ところで、従来例１の衝撃吸収材による振動・衝撃防護構造１００では、衝撃吸収材による２個の筒体１０２内にハードディスクドライブ１０１を挿入することで、ハードディスクドライブ１０１に対して振動や衝撃を吸収できるものの、２個の筒体１０２はハネナイトなどの衝撃吸収材を用いているために高価であり、且つ、２個の筒体１０２は形状が大きいために振動・衝撃防護構造１００が大型になってしまう。
【００１３】
また、従来例１を一部変形させた変形例の衝撃吸収材による振動・衝撃防護構造１００’では、ハードディスクドライブ１０１を挿入した２個の筒体１０２に２本のエンドレスの紐材１０４が互いに平行に鉛直面内で刺し通されているものの、これら２本の紐材１０４はハードディスクドライブ１０１の両端部１０１ａを係止するものであり、ハードディスクドライブ１０１を取付台１０３にフローティング支持する機能は備えていない。この場合には２個の筒体１０１と２本の紐材１０４とを用いるために、衝撃吸収材による振動・衝撃防護構造１００’はより高価で複雑になってしまう。
【００１４】
更に、従来例２の記憶媒体を保持する装置２００では、ハードディスク２０１を内蔵した支持構造２０２とハウジング２０３との間にワイヤケーブル振動ダンパーからなる８個の振動減衰装置２０４が連結されているものの、ここでも８個のワイヤケーブル振動ダンパーは高価で構造が複雑である。
【００１５】
そこで、ハードディスクドライブや光ディスクドライブなどのように駆動源を内部に有する電子機器で発生する振動や外部から加わる予期しない衝撃に対して耐振するために、この電子機器を簡単な構造により収納筐体内に耐振性良くフローティング支持できる電子機器の耐振構造が望まれている。
【課題を解決するための手段】
【００１６】
本発明は上記課題に鑑みてなされたものであり、請求項１記載の発明は、振動を発生する駆動源を内部に有する電子機器を、耐振するために収納筐体内でフローティング支持する電子機器の耐振構造において、
紐状部材を、前記電子機器の外周部位に沿って設けた複数の第１紐支持部と、前記電子機器よりも外側で前記収納筐体内に設けた複数の第２紐支持部とに支持しながら前記電子機器の外周部位に沿って張り巡らせて、前記収納筐体内で前記紐状部材を介して前記電子機器をフローティング支持することを特徴とする電子機器の耐振構造である。
【００１７】
また、請求項２記載の発明は、請求項１記載の電子機器の耐振構造において、前記複数の第２紐支持部のうちの一つは、前記紐状部材の一端部側及び他端部側をクランプしたまま該紐状部材の張力を調整する張力調整用支持部材であることを特徴とする電子機器の耐振構造である。
【００１８】
更に、請求項３記載の発明は、請求項１記載の電子機器の耐振構造において、前記紐状部材は、予め所定の張力が得られる伸縮自在な材質を用いて前記電子機器の外周部位に沿うようにエンドレスに形成したことを特徴とする電子機器の耐振構造である。
【発明の効果】
【００１９】
請求項１記載の電子機器の耐振構造によると、電子機器の外周部位に沿って張り巡らせた紐状部材を介して収納筐体内で電子機器をフローティング支持しているために、電子機器内の駆動源から発生した振動が収納筐体に伝達されず、更に、外部からの衝撃も紐状部材で吸収できるので、電子機器を紐状部材による簡単な構造により収納筐体内に耐振性良くフローティング支持できる。
【００２０】
また、請求項２記載の電子機器の耐振構造によると、複数の第２紐支持部のうちの一つは、紐状部材の一端部側及び他端部側をクランプしたまま紐状部材の張力を調整する張力調整用支持部材であるので、紐状部材を電子機器の外周部位に沿って所定の張力で張り巡らせることができる。
【００２１】
更に、請求項３記載の電子機器の耐振構造によると、紐状部材は、予め所定の張力が得られる伸縮自在な材質を用いて電子機器の外周部位に沿うようにエンドレスに形成したので、紐張力調整部材を必要としないためにエンドレスの紐状部材を電子機器側と収納筐体側とに簡単に取り付けることができる。
【発明を実施するための最良の形態】
【００２２】
以下に本発明に係る電子機器の耐振構造の一実施例について図１〜図６を参照して詳細に説明する。
【実施例】
【００２３】
図１は本発明に係る電子機器の耐振構造を分解して示した分解斜視図、
図２は本発明に係る電子機器の耐振構造を示した外観斜視図、
図３（ａ），（ｂ）は本発明に係る電子機器の耐振構造を示した平面図，縦断面図、
図４は本発明に係る電子機器の耐振構造において、紐状部材の一端部側及び他端部側をクランプしたまま紐状部材の張力を調整する張力調整用支持部材を示した斜視図である。
【００２４】
図５（ａ），（ｂ）は本発明に係る電子機器の耐振構造において、紐状部材の張力調整用支持部材を示した平面図，側面図である。
【００２５】
図１〜図３に示した如く、本発明に係る電子機器の耐振構造１０では、紐状部材１１を、電子機器（１２，１３）の外周部位に沿って設けた複数の第１紐支持部１３ｍ〜１３ｐと、電子機器（１２，１３）よりも外側で収納筐体１４内に設けた複数の第２紐支持部１４ｍ〜１４ｏ，１４ｑ，１５とに支持しながら電子機器（１２，１３）の外周部位に沿って張り巡らせて、収納筐体１４内で紐状部材１１を介して電子機器（１２，１３）をフローティング支持したことを特徴とするものである。
【００２６】
尚、以下の説明において、「耐振」とは、電子機器（１２，１３）内で発生する振動や外部から加わる予期しない衝撃を緩和すると共に減衰させることを意味する。
【００２７】
ここで本発明に係る電子機器の耐振構造１０を、図１に示したように分解した状態で具体的に説明すると、この実施例の要部となる紐状部材１１は、繊維材，化学繊維材，ゴム材，金属材などを用いて長尺な紐状に形成されている。
【００２８】
この際、実施例では、一本の紐状部材１１が平面的に見て略長方形状に形成された電子機器（１２，１３）の外周部に沿って略長方形状に巻回できる長さより僅かに長い長さに形成されており、この紐状部材１１の一端部１１ａ側と他端部１１ｂ側とが後述するアーム状の紐張力調整部材１５にクランプ（固定）されている。
【００２９】
次に、電子機器（１２，１３）は、この実施例ではハードディスクドライブ１２を適用した例について以下説明するが、電子機器（１２，１３）はハードディスクドライブ１２に限定されるものではなく、振動を発生する駆動源を内部に有するものであればいかなる構造形態でも適用可能である。
【００３０】
上記したハードディスクドライブ１２は、ダイキャスト材などを用いて直方体に形成したケース本体１２ａ内にハードディスクＨＤが内蔵された状態でユニット化されており、且つ、ハードディスクＨＤを回転するスピンドルモータ（図示せず）と、このハードディスクＨＤに対して記録又は再生するための磁気ヘッド（図示せず）をハードディスクＨＤの半径方向に移動させるヘッド駆動部（図示せず）とを有しており、スピンドルモータ（図示せず）やヘッド駆動部（図示せず）が振動を発生する駆動源となっている。
【００３１】
この際、ハードディスクドライブ１２として、既存のものを使用できるが、この場合に、ケース本体１２ａの４面からなる各外周側面が平坦に形成されているので、紐状部材１１を支持するために、このハードディスクドライブ１２のケース本体１２ａを内部が中空で略長方形の枠状に形成したフレーム１３内の４隅に形成した複数の嵌め込み部１３ａ〜１３ｄに上方から着脱自在に嵌め込んで一体化している。
【００３２】
ここで、フレーム１３内に形成した複数の嵌め込み部１３ａ〜１３ｄのうちで、図示右側の嵌め込み部１３ａ，１３ｂはケース本体１２ａの右端側の各コーナ部位を上下で挟み込むように形成され、一方、図示左側の嵌め込み部１３ｃ，１３ｄはケース本体１２ａの左端側の各コーナ部位を載置するように形成されている。
【００３３】
そして、フレーム１３の４面からなる各外周側面１３ｅ〜１３ｈの略中央部位に上記した紐状部材１１を支持するための複数（４つ）の第１紐支持部１３ｍ〜１３ｐが外側に向かって紐状部材１１を挟み込むように突出形成されている。
【００３４】
尚、ハードディスクドライブ１２として既存のものを使用しない場合には、ケース本体１２ａの４面からなる各外周側面に沿って紐状部材１１を支持するための複数の第１紐支持部（図示せず）を形成すれば良いものである。
【００３５】
次に、ハードディスクドライブ１２を嵌め込んだフレーム１３を収納するための収納筐体１４は、樹脂材を用いて底面１４ａと、前側面１４ｂと、左側面１４ｃと、後側面１４ｄと、右側面１４ｅと、右側面１４ｅの途中部位からこの右側面１４ｅに対して直交して右方に延出した右方延出側面１４ｆとに囲まれて箱状に形成されている。
【００３６】
また、収納筐体１４の底面１４ａ上で、上記した右方延出側面４ｆとこの右方延出側面１４ｆと平行な前側面１４ｂとの間に形成したスペースＳには、後述するレバー状の紐張力調整部材１５を回動自在に支持する軸部１４ｇと、紐張力調整部材１５をネジ１７により固定するネジ孔１４ｈと、紐状部材１１の一端部１１ａ側及び他端部１１ｂ側をクランプした紐張力調整部材１５の回動により紐状部材１１の張力を所定の値となるように位置決めして調整するために複数の矩形状凹凸を有する位置決め用矩形状凹凸部１４ｉとが形成されている。
【００３７】
また、収納筐体１４の内部には、ここに収納したハードディスクドライブ１２を嵌め込んだフレーム１３よりも外側に、紐状部材１１を支持するための複数の第２紐支持部１４ｍ〜１４ｏ，１４ｑ，１５が設けられている。この際、複数の第２紐支持部１４ｍ〜１４ｏ，１４ｑ，１５は、紐状部材１１をハードディスクドライブ１２を嵌め込んだフレーム１３の外周部位に沿って略長方形状に張り巡らせる位置に設ければ良いものである。
【００３８】
ここで、収納筐体１４内に設けた複数の第２紐支持部１４ｍ〜１４ｏ，１４ｑ，１５としては、紐状部材１１を挟み込むタイプの３つの挟み込み型紐支持部１４ｍ〜１４ｏが前側面１４ｂと左側面１４ｃとの間、左側面１４ｃと後側面１４ｄとの間、後側面１４ｄと右側面１４ｅとの間の３箇所のコーナ部位に設けられ、且つ、紐状部材１１をガイドするタイプの一つガイド型支持部１４ｑが前側面１４ｂと右方延出側面１４ｆとの間に設けられていると共に、紐状部材１１の一端部１１ａ側及び他端部１１ｂ側をクランプしたままこの紐状部材１１の張力を調整するレバー状の紐張力調整部材１５が右方延出側面１４ｆと前側面１４ｂとの間のスペースＳに形成した軸部１４ｇに回動可能に軸着されている。
【００３９】
そして、上記のように紐状部材１１と、ハードディスクドライブ１２を嵌め込んだフレーム１３と、収納筐体１４と、レバー状の紐張力調整部材１５とをそれぞれ形成した後に、ハードディスクドライブ１２を嵌め込んだフレーム１３を収納筐体１４内に収納する際に、図２及び図３（ａ），（ｂ）に示した如く、紐状部材１１を、ハードディスクドライブ１２を嵌め込んだフレーム１３の外周部位に沿って形成した複数の第１紐支持部１３ｍ〜１３ｐと、収納筐体１４内に形成した複数の第２紐支持部１４ｍ〜１４ｏ，１４ｑとに支持しながらフレーム１３の外周部位に沿って略長方形状に張り巡らせ、更に、紐状部材１１の一端部１１ａ側及び他端部１１ｂ側を収納筐体１４内に設けたレバー状の紐張力調整部材１５にクランプ（固定）している。
【００４０】
この際、ハードディスクドライブ１２を嵌め込んだフレーム１３は、この外周部位に沿って紐状部材１１が張り巡らされて、収納筐体１４に対してフローティング支持されている。そして、フレーム１３の外周部位と、収納筐体１４の底面１４ａ，前側面１４ｂ，左側面１４ｃ，後側面１４ｄ，右側面１４ｅの各内面との間にはそれぞれ所定量の隙間が設けられており、ハードディスクドライブ１２から発生する振動や外部から加わる予期しない衝撃に対して紐状部材１１は振動や衝撃を緩和すると共に減衰させるので、ハードディスクドライブ１２を嵌め込んだフレーム１３は上記した各所定量の隙間により収納筐体１４に衝突することなく紐状部材１１を介してフローティング支持されている。
【００４１】
ここで、紐状部材１１をハードディスクドライブ１２を嵌め込んだフレーム１３の外周部位に沿って張り巡らせる際、紐状部材１１の一端部１１ａ側及び他端部１１ｂ側をクランプしたまま紐状部材１１の張力を調整する紐張力調整部材１５について図４及び図５（ａ），（ｂ）を用いて説明する。
【００４２】
図４及び図５（ａ），（ｂ）に示した如く、紐張力調整部材１５は樹脂材を用いて回動自在なレバー状に形成されている。
【００４３】
この紐張力調整部材１５は、収納筐体１４の底面１４ａ側に位置し、且つ、収納筐体１４の底面１４ａ上に形成したネジ孔１４ｈに固定するネジ１７を挿通させる円弧状孔１５ａ１が一端側に貫通して形成されていると共に、収納筐体１４の底面１４ａ上に複数の矩形状凹凸を有して形成した位置決め用矩形状凹凸部１４ｉに係合する三角柱状凸部１５ａ２が一端側の裏面に突出形成されたレバー部１５ａと、このレバー部１５ａの他端上に円筒状に連接されて紐状部材１１の一端部１１ａ側及び他端部１１ｂ側を巻回する円筒部１５ｂと、この円筒部１５ｂの上方に円筒部より大径に連接されて紐状部材１１の一端部１１ａ側及び他端部１１ｂ側が上方に抜けるのを規制するフランジ部１５ｃと、円筒部１５ｂ及びフランジ部１５ｃの各側方に連接されて紐状部材１１の一端部１１ａ側及び他端部１１ｂ側を挿通する角錐状貫通孔１５ｄ１を収納筐体１４の底面１４ａに対して略平行に形成した紐状部材支持部１５ｄと、レバー部１５ａの他端側及び円筒部１５ｂの中心部並びにフランジ部１５ｃの中心部をそれぞれ貫通して収納筐体１４の底面１４ａ上に形成した軸部１４ｇに回動自在に嵌合する円形状貫通孔１５ｅとから一体的に構成されている。
【００４４】
そして、ハードディスクドライブ１２を嵌め込んだフレーム１３の外周部位に沿って張り巡らせた紐状部材１１の一端部１１ａ側及び他端部１１ｂ側を、収納筐体１４の底面１４ａ上に軸部１４ｇにより軸支された紐張力調整部材１５の紐状部材支持部１５ｄに形成した角錐状貫通孔１５ｄ１内に挿通した後に、この角錐状貫通孔１５ｄ１内に角錐状楔１６を打ち込むことで、紐状部材１１の一端部１１ａ側及び他端部１１ｂ側がクランプ（固定）されている。
【００４５】
この状態で、紐張力調整部材１５を収納筐体１４の底面１４ａ上に形成した軸部１４ｇを中心にして時計方向又は反時計方向に回動しながら、レバー部１５ａの一端側の裏面に形成した三角柱状凸部１５ａ２を収納筐体１４の底面１４ａ上に複数の矩形状凹凸を有して形成した位置決め用矩形状凹凸部１４ｉ上で段階的に移動させて、ハードディスクドライブ１２を嵌め込んだフレーム１３の外周部位に沿って張り巡らせた紐状部材１１の張力を適宜な値になるように調整した後、三角柱状凸部１５ａ２を位置決め用矩形状凹凸部１４ｉ中で調整位置に対応した凹部内に係合させてネジ１７により紐張力調整部材１５を収納筐体１４の底面１４ａ上に固定している。
【００４６】
上記により、実施例の電子機器の耐振構造１０によれば、ハードディスクドライブ１２を嵌め込んだフレーム１３を、このフレーム１３の外周部位に沿って張り巡らせた紐状部材１１を介して収納筐体１４内でフローティング支持しているために、ハードディスクドライブ１２内の駆動源から発生した振動が収納筐体１４に伝達されず、更に、外部からの衝撃も紐状部材１１で吸収できるので、ハードディスクドライブ１２や光ディスクドライブ（図示せず）などのように振動を発生する駆動源を内部に有する電子機器（１２，１３）を、紐状部材１１による簡単な構造により収納筐体１４内に耐振性良くフローティング支持できる。
【００４７】
次に、本発明に係る電子機器の耐振構造１０を一部変形させた変形例について図６を用いて簡略に説明する。
【００４８】
図６は本発明に係る電子機器の耐振構造を一部変形させた変形例を示した平面図である。
【００４９】
図６に示した本発明に係る変形例の電子機器の耐振構造１０’は、先に説明した実施例の電子機器の耐振構造１０（図１〜図３）の構成と一部を除いて同様の構成であり、ここでは説明の便宜上、先に示した構成部材に対しては同一の符号を付し、且つ、実施例と異なる構成部材に新たな符号を付して異なる点についてのみ説明する。
【００５０】
図６に示した如く、本発明に係る変形例の電子機器の耐振構造１０’では、紐状部材１１’が予め所定の張力が得られる伸縮自在なゴム材やコイルバネなどを用いてハードディスクドライブ１２を嵌め込んだフレーム１３の外周部位に沿うようにエンドレスに形成されている点が実施例１に対して異なっている。
【００５１】
この変形例の場合には、紐状部材１１’の一端部側及び他端部側をクランプしないので実施例１で説明したアーム状の紐張力調整部材１５（図１〜図５）を必要としないために、これに伴って収納筐体１４’が樹脂材を用いて底面１４ａと、前側面１４ｂと、左側面１４ｃと、後側面１４ｄと、右側面１４ｅとに囲まれて平面的に見て略長方形状に形成されている。
【００５２】
そして、収納筐体１４’内には、エンドレスの紐状部材１１’を挟み込むタイプの複数（４つ）の挟み込み型紐支持部１４ｍ〜１４ｐが４箇所のコーナ部位に設けられている。
【００５３】
一方、収納筐体１４の内部に収納したハードディスクドライブ１２を嵌め込んだフレーム１３は、実施例１と同様に、４面からなる各外周側面１３ｅ〜１３ｈの略中央部位に上記したエンドレスの紐状部材１１’を支持するための複数（４つ）の第１紐支持部１３ｍ〜１３ｐが外側に向かって紐状部材１１’を挟み込むように突出形成されている。
【００５４】
そして、エンドレスの紐状部材１１’を、ハードディスクドライブ１２を嵌め込んだフレーム１３の外周部位に沿って形成した複数の第１紐支持部１３ｍ〜１３ｐと、収納筐体１４内に形成した複数の第２紐支持部１４ｍ〜１４ｐとに支持しながらフレーム１３の外周部位の外周部位に沿って略長方形状に張り巡らせている。
【００５５】
この変形例の電子機器の耐振構造１０’でも実施例１と同様に、ハードディスクドライブ１２や光ディスクドライブ（図示せず）などのように振動を発生する駆動源を内部に有する電子機器（１２，１３）を、エンドレスの紐状部材１１’による簡単な構造により収納筐体１４内に耐振性良くフローティング支持できると共に、エンドレスの紐状部材１１’は張力が予め設定されているので紐張力調整部材１５を必要としないためにエンドレスの紐状部材１１’を電子機器（１２，１３）側と収納筐体１４側とに簡単に取り付けることができる。
【図面の簡単な説明】
【００５６】
【図１】本発明に係る電子機器の耐振構造を分解して示した分解斜視図である。
【図２】本発明に係る電子機器の耐振構造を示した外観斜視図である。
【図３】（ａ），（ｂ）は本発明に係る電子機器の耐振構造を示した平面図，縦断面図である。
【図４】本発明に係る電子機器の耐振構造において、紐状部材の一端部側及び他端部側をクランプしたまま紐状部材の張力を調整する張力調整用支持部材を示した斜視図である。
【図５】（ａ），（ｂ）は本発明に係る電子機器の耐振構造において、紐状部材の張力調整用支持部材を示した平面図，側面図である。
【図６】本発明に係る電子機器の耐振構造を一部変形させた変形例を示した平面図である。
【図７】従来例１の衝撃吸収材による振動・衝撃防護構造を示した斜視図、
【図８】（ａ），（ｂ）は従来例１の衝撃吸収材による振動・衝撃防護構造を一部変形させた変形例を示した正面図，側面図である。
【図９】（ａ），（ｂ）は従来例２の記憶媒体を保持する装置を示した概略図，斜視図である。
【符号の説明】
【００５７】
１０…実施例の電子機器の耐振構造、
１０’…変形例の電子機器の耐振構造、
１１…実施例の紐状部材、１１ａ…一端部、１１ｂ…他端部、
１１’…変形例の紐状部材、
１２…ハードディスクドライブ、１２ａ…ケース本体、
１３…フレーム、１３ａ〜１３ｄ…嵌め込み部、１３ｅ〜１３ｈ…各外周側面、
１３ｍ〜１３ｐ…複数の第１紐支持部、
１４…実施例の収納筐体、１４ａ…底面、１４ｂ…前側面、１４ｃ…左側面、
１４ｄ…後側面、１４ｅ…右側面、１４ｆ…右方延出側面、
１４ｇ…軸部、１４ｈ…ネジ孔、１４ｉ…位置決め用矩形状凹凸部、
１４ｍ〜１４ｏ，１４ｑ…複数の第２紐支持部、
１４’…変形例の収納筐体、１４ｍ〜１４ｐ…複数の第２紐支持部、
１５…紐張力調整部材、
１５ａ…レバー部、１５ａ１…円弧状孔、１５ａ２…三角柱状凸部、
１５ｂ…円筒部、１５ｃ…フランジ部、１５ｄ…紐状部材支持部、
１５ｄ１…角錐状貫通孔、１５ｅ…円形状貫通孔、
１６…角錐状楔、１７…ネジ、
ＨＤ…ハードディスク、Ｓ…スペース。
【図１】
2007323759.tif 000003
【図２】
2007323759.tif 000004
【図３】
2007323759.tif 000005
【図４】
2007323759.tif 000006
【図５】
2007323759.tif 000007
【図６】
2007323759.tif 000008
【図７】
2007323759.tif 000009
【図８】
2007323759.tif 000010
【図９】
2007323759.tif 000011